(57)【特許請求の範囲】
【請求項１】
発砲スチロールで一体形成した浮き容体の上部に、この容体内の貯水を容体外へ排水するポンプ装置とこのポンプ装置を駆動する電源装置を設け、前記浮き容体を水上に浮かべた際、この容体の水面下に位置する箇所に、前記排水により導水される導水部を設け、この導水部に前記浮き容体内に導水される導水を浄化する浄化部を設けて、前記ポンプ装置による排水を継続することで浮き容体を浮かべる水域を浄化するように構成し、前記浮き容体の側面部の所定高さ位置にこの容体内外を通水する導水孔を形成して前記導水部を設け、この導水孔内に導水を浄化する浄化材を配設して前記導水部に前記浄化部を設けたことを特徴とする浮き型浄水装置。
【請求項２】
前記浄化材を前記導水孔に着脱自在な筒体に詰めたことを特徴とする請求項１記載の浮き型浄水装置。
【請求項３】
前記浄化材を複数種多層にして前記導水孔に配設したことを特徴とする請求項１，２のいずれか１項に記載の浮き型浄水装置。
【発明の詳細な説明】
【０００１】
【発明の属する技術分野】
本発明は、浮き型浄水装置に関するものである。
【０００２】
【従来の技術及び発明が解決しようとする課題】
基枠に浮き体を多数設けて水上に浮く基枠に水を汲み上げるポンプ装置と、このポンプを駆動する太陽光発電装置（ソーラパネルとバッテリー）などの電源装置と、ポンプ装置で汲み上げた水を浄化材により浄化して放水する浄化装置とを設けた浮き型浄水装置が提案されているが、浄化機能が十分ではなく、また、浄化装置の他、ポンプ装置や電源装置などを搭載するため、水上に浮かべるためには、大型の浮き体を多数要し、また、この浮き体と基枠の連結や各装置の搭載など製作も容易ではなく、量産性に劣るなど実用上様々な問題があった。
【０００３】
本発明は、汲み上げる水を浄化するのではなく、浄化した水を容体に貯水しながら、ポンプ装置でこの貯水を排水し、この排水により容体内に自動的に導水しつつ浄化する構成として、浄化効率を高め簡易な構成でも十分な浄化機能が発揮されるように構成し、更にこの容体自体を例えば発泡樹脂などの比重の小さな材質で構成するため、各装置を搭載する容体とし、この容体自体を浮き体とすることで、大きな浮き体を多数用いてこれを連結する必要もなく、極めて簡易な構成で実現でき、製作が容易で量産性に秀れ、極めて実用性に秀れた画期的な浮き型浄水装置を提供することを目的としている。
【０００４】
【課題を解決するための手段】
添付図面を参照して本発明の要旨を説明する。
【０００５】
発砲スチロールで一体形成した浮き容体１の上部に、この容体１内の貯水２を容体１外へ排水するポンプ装置３とこのポンプ装置３を駆動する電源装置４を設け、前記浮き容体１を水上に浮かべた際、この容体１の水面下に位置する箇所に、前記排水により導水される導水部５を設け、この導水部５に前記浮き容体１内に導水される導水を浄化する浄化部６を設けて、前記ポンプ装置３による排水を継続することで浮き容体１を浮かべる水域を浄化するように構成し、前記浮き容体１の側面部の所定高さ位置にこの容体１内外を通水する導水孔５Ａを形成して前記導水部５を設け、この導水孔５Ａ内に導水を浄化する浄化材６Ａを配設して前記導水部５に前記浄化部６を設けたことを特徴とする浮き型浄水装置に係るものである。
【０００６】
また、前記浄化材６Ａを前記導水孔５Ａに着脱自在な筒体に詰めたことを特徴とする請求項１記載の浮き型浄水装置に係るものである。
【０００７】
また、前記浄化材６Ａを複数種多層にして前記導水孔５Ａに配設したことを特徴とする請求項１，２のいずれか１項に記載の浮き型浄水装置に係るものである。
【０００８】
【発明の実施の形態】
好適と考える本発明の実施の形態（発明をどのように実施するか）を、図面に基づいてその作用効果を示して簡単に説明する。
【０００９】
浮き容体１の上部に設けたポンプ装置３を電源装置４により駆動することで、浮き容体１内の貯水２を浮き容体１外へ排水する。
【００１０】
この排水により導水部５から浮き容体１内に外水が導水され、この導水は浄化部６により浄化されて貯水される。
【００１１】
即ち、浮き容体１を浄化したい水域に浮かべると、浮き容体１内がまだ十分に貯水されていなければ、導水部５から浄化部６により浄化されつつ導水して貯水され、前記ポンプ装置３により排水を開始継続することで、排水に応じて自動的に導水されながら浄化されていくこととなる。
【００１２】
従って、従来のように単にポンプ装置３により直接水中から水を汲み上げながら浄化するのではなく、ポンプ装置３により浮き容体１内の貯水を排水することでこの浮き容体１内に外水を導水部５から引き込み、この引き込まれる導水を浄化部６により浄化するため、簡易な構成にして効率良く、効果的に浄化ができることとなる。
【００１３】
また、本発明は、ポンプ装置３や電源装置４を設ける本体を浮き容体１とし、この浮き容体１を水に浮かべることができる浮力を有するように浮き体を付設して構成するのではなく、この浮き容体１自体を例えば発泡樹脂（発泡スチロール）のような比重の小さい材質で一体形成することで、従来のように浮き体を基枠（本体）に多数連結することを要せずに構成でき、製作が容易で量産性に秀れた極めて実用性に秀れた浮き型浄化装置となる。
【００１４】
また、導水部５は、例えば浮き容体１に導水孔５Ａを貫通形成すれば良く、例えば浮き容体１の水に漬かる所定高さ位置の側面部に形成するだけで、水面近くの外水を自動的に引き込み浮き容体１内に所定量貯水でき、そのためポンプ装置３により排水も容易で、この排水により自動的に導水でき、前記作用・効果を確実に発揮する構成を一層容易に実現できる。
【００１５】
また、浄化部６も、例えば単に導水孔５Ａ内に濾過材や化学変化材や触媒などの浄化材を適宜配設することで、導水を浄化させる浄化部６を簡易に構成でき、また浮力が十分となるように浮き容体１を肉厚とすれば、この導水部５（導水孔５Ａ）の長さも長くなり、多量の浄化材を一種又は複数種多層にして配設することも容易で、また、浄化材を筒体などに詰め入れて導水孔５Ａに着脱自在に配設すると、筒体を取り外すことで、浄化材の洗浄や取り替えも容易となる。
【００１６】
【実施例】
本発明の具体的な実施例について図面に基づいて説明する。
【００１７】
例えば、発泡スチロールなどの比重の小さい材質により上部開口形の浮き容体１を形成し、例えばこの容体１内に水を透過させないシール材７を配設するなどして、浮き容体１内に導水を貯水できる構成としたものである。
【００１８】
本実施例では、この浮き容体１の上部に、この容体１内の貯水２を容体１外へ排水するポンプ装置３とこのポンプ装置３を駆動する電源装置４を設けている。
【００１９】
具体的には、ソーラパネル４Ａや風力発電用プロペラ４Ｂをコントローラ４Ｃを介してバッテリー４Ｄに接続し、インバータ４Ｅにより出力調整できる電源装置４を浮き容体１上に搭載する構成で、また、汲み上げパイプ３Ａを貯水２内へ垂下したポンプ装置３は、前記出力調整される電源装置４により駆動され、外部排出パイプ３Ｂから排水するように構成する。この排水部は、放出水の浄化能力と溶存酸素を高めるため、曝気する構成とし、排出パイプ３Ｂの先端には噴霧状に拡散して排出するように加工した排水口３Ｃを設けている。
【００２０】
また、本実施例では、このようにポンプ装置３や電源装置４を搭載した浮き容体１を水上に浮かべた際、この容体１の水面下に位置する箇所に、前記排水により導水される導水部５を設け、この導水部５に前記浮き容体１内に導水される導水を浄化する浄化部６を設けて、前記ポンプ装置３による排水を継続することで浮き容体１を浮かべる水域を浄化するように構成している。
【００２１】
具体的には、前記浮き容体１の側面部の所定高さ位置にこの容体１内外を通水する導水孔５Ａを形成して前記導水部５を設けている。即ち、本実施例では、浮き容体１の水に漬かる所定高さ位置の側面部に導水孔５Ａを貫通形成した構成とし、水面近くの外水を自動的に引き込み浮き容体１内に所定量貯水でき、そのためポンプ装置３により排水も容易で、この排水により自動的に導水でき、前記作用・効果を確実に発揮する構成を一層容易に実現できるように構成している。
【００２２】
また、浄化部６は、この導水孔５Ａ内若しくは導水孔５Ａを通過する導水と接触する位置に導水を浄化する浄化材６Ａを配設して前記導水部５に前記浄化部６を設けている。即ち、本実施例では、単に導水孔５Ａ内に濾過材や化学変化材や触媒などの浄化材を適宜配設することで、導水を浄化させる浄化部６を簡易に構成でき、また浮力が十分となるように浮き容体１を肉厚とすれば、この導水部５（導水孔５Ａ）の長さも長くなり、多量の浄化材を一種又は複数種多層にして配設することも容易で、また、浄化材を筒体などに詰め入れて導水孔５Ａに着脱自在に配設すれば、筒体を取り外すことで、浄化材の洗浄や取り替えも容易となる。
【００２３】
尚、本発明は、本実施例に限られるものではなく、各構成要件の具体的構成は適宜設計し得るものである。
【００２４】
【発明の効果】
本発明は上述のように構成したから、汲み上げる水を浄化するのではなく、浄化した水を容体に貯水しながら、ポンプ装置でこの貯水を排水し、この排水により容体内に自動的に導水しつつ浄化する構成として、浄化効率を高め簡易な構成でも十分な浄化機能が発揮され、しかもこの容体自体を例えば発泡樹脂などの比重の小さな材質で構成するため、各装置を搭載する容体とし、この容体自体を浮き体とすることで、大きな浮き体を多数用いてこれを連結する必要もなく、極めて簡易な構成で実現でき、製作が容易で量産性に秀れ、極めて実用性に秀れた画期的な浮き型浄水装置となる。
【００２５】
また、本発明は、水面近くの外水を自動的に引き込み浮き容体内に所定量貯水でき、そのためポンプ装置により排水も容易で、この排水により自動的に導水でき、前記作用・効果を確実に発揮する構成を一層容易に実現できる極めて画期的な浮き型浄水装置となる。
【図面の簡単な説明】
【図１】  本実施例の概略構成説明図である。
【符号の説明】
１  浮き容体（容体）
２  貯水
３  ポンプ装置
４  電源装置
５  導水部
５Ａ  導水孔
６  浄化部
６Ａ  浄化材
【図１】
0003749866.tif 000002